(57)【要約】【課題】防水スピーカのコーン紙の表裏に圧力差が発生せず、音が潰れる又はコーン紙が潰れるおそれのないリモートコントローラを得ること。【解決手段】表外壁に形成された表示窓に表示デバイス２２が設置され、内部に電子回路基板２３が設置された第１の室１１と、仕切壁１３により前記第１の室１１と気密に仕切られ、表外壁に形成された通音窓に防水スピーカ２４が設置された第２の室１２と、前記仕切壁１３に設けられた第１の孔１４を塞ぐ気密の圧力緩衝膜１５と、前記第２の室１２の外壁１０ｂに設けられた第２の孔１６と、を有する筺体１０を備える。【選択図】図２
2010169280.tif 000002
【特許請求の範囲】
【請求項１】
表外壁に形成された表示窓に表示デバイスが設置され、内部に電子回路基板が設置された第１の室と、
仕切壁により前記第１の室と気密に仕切られ、表外壁に形成された通音窓に防水スピーカが設置された第２の室と、
前記仕切壁に設けられた第１の孔を塞ぐ気密の圧力緩衝膜と、
前記第２の室の外壁に設けられた第２の孔と、
を有する筺体を備えることを特徴とするリモートコントローラ。
【請求項２】
前記第２の孔は、前記第２の室の底部の側外壁に設けられ、内側に止水壁が設けられていることを特徴とする請求項１に記載のリモートコントローラ。
【請求項３】
浴室に設置され、給湯器を遠隔操作することを特徴とする請求項１又は２に記載のリモートコントローラ。
【発明の詳細な説明】
【技術分野】
【０００１】
本発明は、浴室等の湿度が高い場所に設置され、浴室外の給湯器を操作するリモートコントローラに関するものである。
【背景技術】
【０００２】
従来、スピーカを内蔵した浴室機器において、少なくともスピーカを内蔵するための空間を有する密閉された本体ケースに、通音用の第１穴部を設け、当該第１穴部を耐水性のコーン紙を備えたスピーカで覆って密閉するとともに、前記本体ケースに第２穴部を設け、当該第２穴部を、その両面にかかる圧力差に応じて自在に変形するダイヤフラム状部材で密閉し、前記ダイヤフラム状部材として、前記スピーカのコーン紙がその両面にかかる圧力差によって変位を生じる圧力差よりも少ない圧力差で変形しかつ通気性のないものを用いた浴室機器が開示されている（例えば、特許文献１参照）。
【先行技術文献】
【特許文献】
【０００３】
【特許文献１】特開２００２−３５４５６９号公報
【発明の概要】
【発明が解決しようとする課題】
【０００４】
しかしながら、上記従来の技術によれば、スピーカを内蔵するための空間を有する密閉された本体ケースに、通音用の第１穴部を設け、当該第１穴部を耐水性のコーン紙を備えたスピーカで覆って密閉するとともに、前記本体ケースに第２穴部を設け、当該第２穴部を、その両面にかかる圧力差に応じて自在に変形するダイヤフラム状部材で密閉している。
【０００５】
スピーカは、コーン紙の振動により音を出すが、このコーン紙は、コーン紙コイルに電流を流すことにより振動する薄膜であり、表裏の圧力差に弱いものである。上記の従来技術では、コーン紙の裏側がダイヤフラム状部材で密閉されている。そのため、コーン紙の表裏に圧力差が発生し、音が潰れる又はコーン紙が潰れるおそれがある、という問題があった。
【０００６】
本発明は、上記に鑑みてなされたものであって、防水スピーカのコーン紙の表裏に圧力差が発生せず、音が潰れる又はコーン紙が潰れるおそれのないリモートコントローラを得ることを目的とする。
【課題を解決するための手段】
【０００７】
上述した課題を解決し、目的を達成するために、本発明は、表外壁に形成された表示窓に表示デバイスが設置され、内部に電子回路基板が設置された第１の室と、仕切壁により前記第１の室と気密に仕切られ、表外壁に形成された通音窓に防水スピーカが設置された第２の室と、前記仕切壁に設けられた第１の孔を塞ぐ気密の圧力緩衝膜と、前記第２の室の外壁に設けられた第２の孔と、を有する筺体を備えることを特徴とする。
【発明の効果】
【０００８】
本発明にかかるリモートコントローラは、防水スピーカのコーン紙の表裏に圧力差が発生せず、音が潰れる又はコーン紙が潰れるおそれがない、という効果を奏する。
【図面の簡単な説明】
【０００９】
【図１】図１は、本発明にかかるリモートコントローラを浴室の壁に設置した状態を示す斜視図である。
【図２】図２は、本発明にかかるリモートコントローラの実施の形態を示す縦断面図である。
【図３】図３は、圧力緩衝膜が膨らんだ状態を示す図２のＢ部拡大図である。
【図４】図４は、圧力緩衝膜が萎んだ状態を示す図２のＢ部拡大図である。
【図５】図５は、結露水が排水される様子を示す図２のＣ部拡大図である。
【図６】図６は、外部からの浸水を阻止する様子を示す図２のＣ部拡大図である。
【発明を実施するための形態】
【００１０】
以下に、本発明にかかるリモートコントローラの実施の形態を図面に基づいて詳細に説明する。なお、この実施の形態によりこの発明が限定されるものではない。
【００１１】
実施の形態
図１は、本発明にかかるリモートコントローラを浴室の壁に設置した状態を示す斜視図であり、図２は、本発明にかかるリモートコントローラの実施の形態を示す縦断面図であり、図３は、圧力緩衝膜が膨らんだ状態を示す図２のＢ部拡大図であり、図４は、圧力緩衝膜が萎んだ状態を示す図２のＢ部拡大図であり、図５は、結露水が排水される様子を示す図２のＣ部拡大図であり、図６は、外部からの浸水を阻止する様子を示す図２のＣ部拡大図である。
【００１２】
図１に示すように、実施の形態のリモートコントローラ９０は、浴槽８１の近くの浴室の壁８２に設置され、押ボタンスイッチ２１を操作することにより、浴室の外に設置された図示しない給湯器を遠隔操作して、お湯張り、追い焚き、足し湯等を行なう。
【００１３】
図１及び図２に示すように、リモートコントローラ９０の構成部品は、気密性の方形の筺体１０内に収納されている。筺体１０は、表外壁１０ａに形成された表示窓１７に液晶パネル等の表示デバイス２２が設置され、内部に電子回路基板２３が設置された第１の室１１と、表外壁１０ａに形成された通音窓１８に防水スピーカ２４が設置された、第１の室１１より狭い第２の室１２と、を有している。
【００１４】
第１の室１１と第２の室１２とは、仕切壁１３により気密に仕切られている。仕切壁１３には、第１の孔１４が設けられている。図３及び図４に示すように、第１の孔１４は、気密の圧力緩衝膜１５により塞がれている。圧力緩衝膜１５は、弛ませた状態で第１の孔１４に取付けられた非伸縮性の合成樹脂膜であってもよいし、伸縮性のゴム膜であってもよい。
【００１５】
電子回路基板２３と防水スピーカ２４とは、仕切壁１３を気密に貫通する配線２５により接続されている。以上のように、第１の室１１は、外部からの湿気が入り込まない気密構造となっている。
【００１６】
圧力緩衝膜１５は、電子回路基板２３の発熱により、第１の室１１内の空気が暖まって膨張し圧力が上がると、図３に示すように、第２の室１２側に膨らんで第１の室１１内の圧力上昇を緩衝する。リモートコントローラ９０が冷えて第１の室１１内の空気が収縮し圧力が下がると、図４に示すように、圧力緩衝膜１５は第１の室１１側に収縮する。
【００１７】
筺体１０の内部の仕切壁１３に圧力緩衝膜１５を取付けるので、リモートコントローラ９０の外観デザインへの悪影響はない。また、外部から圧力緩衝膜１５に触れることができないので、リモートコントローラ９０設置時に圧力緩衝膜１５が破損することもない。
【００１８】
図２、図５及び図６に示すように、第２の室１２の底部の側外壁１０ｂには、第２の孔１６が設けられている。また、第２の孔１６の内側には、止水壁１０ｃが設けられている。図５に示すように、第２の孔１６は、第２の室１２の底部に溜まった結露水を排出する。
【００１９】
図６に示すように、止水壁１０ｃは、筺体１０の側外壁１０ｂを伝って流下する結露水が第２の室１２内へ浸入するのを阻止する。第２の室１２は、第２の孔１６により、外部との気圧差が発生しない構造となっている。
【００２０】
実施の形態のリモートコントローラ９０では、第２の孔１６により外部と同じ気圧となっている第２の室１２に、防水スピーカ２４を設置する。防水スピーカ２４は、コーン紙裏のコイル部も防水されているものを用いる。実施の形態のリモートコントローラ９０は、コーン紙の表裏に圧力差が発生せず、音が潰れる又はコーン紙が潰れるおそれはない。
【００２１】
実施の形態のリモートコントローラ９０では、湿気と結露に弱い電子回路基板２３及び表示デバイス２２が設置される第１の室１１を、外部からの湿気が入り込まない気密構造としているので、湿気、結露による電子回路基板２３の短絡又は断線や表示デバイス２２の表示異常を防止することができる。また、リモートコントローラ９０を浴室の壁８２に設置するときのシリコンコーキングが不要になる。
【産業上の利用可能性】
【００２２】
以上のように、本発明にかかるリモートコントローラは、浴室設置用として有用である。
【符号の説明】
【００２３】
１０  筺体
１０ａ  表外壁
１０ｂ  側外壁
１１  第１の室
１２  第２の室
１３  仕切壁
１４  第１の孔
１５  圧力緩衝膜
１６  第２の孔
１７  表示窓
１８  通音窓
２１  押ボタンスイッチ
２２  表示デバイス
２３  電子回路基板
２４  防水スピーカ
２５  配線
８１  浴槽
８２  浴室の壁
９０  リモートコントローラ
【図１】
2010169280.tif 000003
【図２】
2010169280.tif 000004
【図３】
2010169280.tif 000005
【図４】
2010169280.tif 000006
【図５】
2010169280.tif 000007
【図６】
2010169280.tif 000008